(57)【要約】【課題】食材を加熱するための遠隔料理用食品装置を提供する。【解決手段】外部ケース内には前蓋と空洞を設け、空洞には開口部と第一側壁を設け、前蓋は空洞を密閉するのに用い、開口部の側縁とは開いて接続する。遠隔信号起動装置は遠隔の起動信号を受信すると共に、それぞれ冷蔵モジュールと第一加熱ソースの信号とを接続し、遠隔信号起動装置が起動信号を受信すると冷蔵モジュールをオフにし、第一加熱ソースを起動して空洞を加熱して低温状態から高温状態に昇温させる。【選択図】図１ａ
0003141157.tif 000002
【実用新案登録請求の範囲】
【請求項１】
食材を加熱するための遠隔料理用食品装置であって、
内部に前蓋と空洞を設けた外部ケースで、前記空洞は開口部、第一側壁及び開口部の底部から前記外部ケースの裏側に延伸して前記第一側壁と接続する底面を有し、前記前蓋は前記空洞を密閉するのに用い、前記開口部の側縁とは開いて接続するものと、
前記第一側壁と前記外部ケースの間に設置する冷蔵モジュールであって、前記冷蔵モジュールは前記空洞を低温状態に維持するのに用いるものと、
前記空洞と前記外部ケースの間に設置する第一加熱ソースであって、前記第一加熱ソースは前記空洞を加熱して前記低温状態から高温状態に昇温させることができるものと、
遠隔の起動信号を受信すると共にそれぞれ前記冷蔵モジュールと前記第一加熱ソースの信号とを接続するための遠隔信号起動装置であって、前記遠隔信号起動装置が前記起動信号を受信すると、前記冷蔵モジュールをオフにすると共に、前記第一加熱ソースを起動して前記空洞を加熱して前記高温状態に昇温させるものを含むことを特徴とする、遠隔料理用食品装置。
【請求項２】
前記空洞はさらに第二側壁、第三側壁及び頂面を含み、前記頂面は前記底面と対向してそれぞれ前記第一側壁、前記第二側壁及び前記第三側壁の頂端と接続し、前記第一加熱ソースは前記外部ケースと前記頂面、前記第二側壁及び前記第三側壁の間の何れか一箇所を選択して設置することを特徴とする、請求項１に記載の遠隔料理用食品装置。
【請求項３】
前記冷蔵モジュールは前記空洞を前記低温状態に維持するための冷媒ユニットと冷熱交換パイプを有することを特徴とする、請求項１に記載の遠隔料理用食品装置。
【考案の詳細な説明】
【技術分野】
【０００１】
本考案は遠隔料理用食品装置に関し、具体的には遠隔起動により食品を加熱調理できる料理用装置に関する。
【背景技術】
【０００２】
科学技術の絶え間ない進歩に伴い、人々が食材を料理するのに便利なように、ますます多くの種類の調理装置が世に出回り、電子レンジ、オーブン、電気炊飯器、電磁プレート、電子炊飯器、蒸し器など何れも日常生活や調理使用とは切り離せない。
【０００３】
然しながら、現代人の忙しい生活リズムに慣らされて、時間運用面では往々にして一刻を争っている上に、一日の疲れの後では、食材を準備して料理するための十分な時間も気持ちもない。こうした情報化社会において効率と生活レベルの双方を追求するという展望の下、なお改善の余地と可能性が残されている。
【考案の開示】
【考案が解決しようとする課題】
【０００４】
本考案の主たる目的は、時間の最大限の利用効率を追求するために、遠隔起動して食品を加熱調理することができる遠隔料理用食品装置を提供することにある。
【０００５】
本考案の別の目的は、冷蔵による鮮度保持と多種類の食品の調理モデルとを兼ね備えた遠隔料理用食品装置を提供することにある。
【０００６】
本考案の別の目的は、ユーザーが帰宅前に予め異なる調理モデルを設定し起動させて食材を料理するのに便利なように、遠隔信号起動装置を具備した遠隔料理用食品装置を提供することにある。
【課題を解決するための手段】
【０００７】
本考案に係る食材を加熱するための遠隔料理用食品装置は、内部に前蓋と空洞を設けた外部ケースであって、前記空洞が開口部、第一側壁及び開口部の底部から前記外部ケースの裏側に延伸して前記第一側壁と接続する底面を有し、前記前蓋は前記空洞を密閉するのに用い、前記開口部の側縁とは開いて接続するものと、前記第一側壁と前記外部ケースの間に設置する冷蔵モジュールであって、前記冷蔵モジュールは前記空洞を低温状態に維持するのに用いるものと、前記空洞と前記外部ケースの間に設置する第一加熱ソースであって、前記第一加熱ソースは前記空洞を加熱して前記低温状態から高温状態に昇温させることができるものと、遠隔の起動信号を受信すると共にそれぞれ前記冷蔵モジュールと前記第一加熱ソースの信号とを接続するための遠隔信号起動装置であって、前記遠隔信号起動装置が前記起動信号を受信すると前記冷蔵モジュールをオフにすると共に、前記第一加熱ソースを起動して前記空洞を加熱して前記高温状態に昇温させるものを含む。
【考案の効果】
【０００８】
遠隔起動して食品を加熱調理することで、時間の最大限の利用効率を追求することができる。
【考案を実施するための最良の形態】
【０００９】
以下、添付図面を参照して本考案の実施の形態を詳細に説明する。
【実施例】
【００１０】
本考案の遠隔料理用食品装置は冷蔵による鮮度保持と多種類の食品調理モデルとを兼ね備えているものである。図１ａで示すように、本考案の遠隔料理用食品装置１００は外部ケース２００、前蓋３００、空洞４００及び遠隔信号起動装置９００を具備し、前記遠隔信号起動装置９００は外部ケース２００のコーナー又は端縁に近い位置に設置して、最大範囲の信号ゲインを受信できることを原則とするが、前記遠隔信号起動装置９００は外接方式でもって外部ケース２００とも接続することができる。
【００１１】
また遠隔信号起動装置９００は信号受信装置９２０を具備し、前記信号受信装置９２０は遠隔の信号発射装置９３０の信号と接続して、信号発射装置９３０からの起動信号９１０を受信することができる。このほか、前記遠隔信号起動装置９００の信号受信装置９２０はブロードバンドネットワーク又は光ファイバーケーブルにより遠隔の公共ネットワーク信号とも接続できると共に、公共ネットワークを通じて起動信号９１０を受信し、前記遠隔信号起動装置９００の受信可能な起動信号９１０のタイプは、無線信号並びに有線信号の何れかを含む。
【００１２】
図１ｂで示すように、遠隔信号起動装置９００はそれぞれ冷蔵モジュール５００、第一加熱ソース６００、第二加熱ソース７００及び第三加熱ソース８００の信号と接続する。実施方法では、第一加熱ソース６００、第二加熱ソース７００及び第三加熱ソース８００は異なるモデルの加熱モジュールである。冷蔵モジュール５００、第一加熱ソース６００、第二加熱ソース７００及び第三加熱ソース８００はそれぞれ独立した切換起動装置Ｘ１、Ｘ２、Ｘ３及びX４を有し、信号受信装置９２０が信号発射装置９３０からの起動信号９１０を受信すると、遠隔信号起動装置９００は冷蔵モジュール５００をオフにすると共に、起動信号９１０に基づき第一加熱ソース６００、第二加熱ソース７００及び第三加熱ソース８００の何れか一つを選択して起動させて食材を加熱調理する。
【００１３】
図２ａで示すように、外部ケース２００内には好ましくは前蓋３００と空洞４００を設け、空洞４００には開口部４１０、第一側壁４３０及び底面４２０を有し、前記空洞４００の底面４２０は開口部４１０の底端から外部ケース２００の裏側に延伸して第一側壁４３０と接続し、前記前蓋３００は空洞４００を密閉するのに用いられ、前記開口部４１０の側縁とは開いて接続して、食材を載置するための密閉スペースを形成する。
【００１４】
冷蔵モジュール５００は遠隔料理用食品装置１００の外部ケース２００と第一側壁４３０の間に設置して、空洞４００を低温状態に維持するのに用いる。然しながら、低温状態は空洞４００が鮮度を保つ冷蔵状態を維持できることを指し、好ましくは摂氏３度と６度の間にあり、また冷蔵モジュール５００は冷蔵ユニット５１０と冷熱交換パイプ５２０を具備して相互に接続し、冷蔵ユニット５１０内には冷媒を注入し、冷熱交換パイプ５２０の間を往復循環して熱エネルギーを発散させる。本実施例では、冷蔵モジュール５００は外部ケース２００と第一側壁４３０との間に設置しているが、他の異なる実施例では、冷蔵モジュール５００は外部ケース２００と空洞４００の他の側壁の位置を選択して設置することもできる。
【００１５】
さらに図２ａと図２ｂが示すように、本考案の遠隔料理用食品装置１００は冷蔵モジュール５００の他に、同時に第一加熱ソース６００をも具備し、第一加熱ソース６００と冷蔵モジュール５００は各々遠隔信号起動装置９００の信号と接続している。図１で示すように、本実施例では第一加熱ソース６００はマイクロ波装置６１０である。しかし他の異なる実施例では、第一加熱ソース６００はヒーターパイプ又はその他のヒーター素子でもよく、また、第一加熱ソース６００は空洞４００と外部ケース２００の間に設置し、空洞４００を加熱して低温状態から高温状態に昇温させることができる。
【００１６】
また空洞４００は他に第二側壁４４０、第三側壁４５０及び頂面４６０を含み、頂面４６０は底面４２０に対向してそれぞれ第一側壁４３０、第二側壁４４０及び第三側壁４５０の頂端と接続し、第一加熱ソース６００は外部ケース２００と頂面４６０、第二側壁４４０及び第三側壁４５０の間の何れかを選択して設置することができ、本好ましい実施例では、第一加熱ソース６００は外部ケース２００と第二側壁４４０の間に設置する。
【００１７】
このほか図２ｂと図２ｃで示すように、本考案の遠隔料理用食品装置１００は冷蔵モジュール５００と第一加熱ソース６００の他に、また同時に遠隔信号起動装置９００と信号接続する第二加熱ソース７００を具える。図２ｃで示すように、第二加熱ソース７００は金属材質のヒーター素子７１０を含む。しかし、第二加熱ソース７００はその他のマイクロ波装置又はヒーター装置をも含み、他に第二加熱ソース７００は外部ケース２００と頂面４６０、第二側壁４４０及び第三側壁４５０の間の何れかに選択して設置することができ、空洞４００を加熱して高温状態に昇温させるのに用いる。
【００１８】
図２ｃと図２ｄで示すように、本考案の遠隔料理用食品装置１００は冷蔵モジュール５００と第一加熱ソース６００及び第二加熱ソース７００の他に、また同時に遠隔信号起動装置９００と信号接続する第三加熱ソース８００を具える。図２ｄで示すように、第三加熱ソース８００は貯水装置８１０、蒸し板８２０及び制御バルブ８３０を含む。遠隔信号起動装置９００が起動信号９１０を受信すると、第三加熱ソース８００の制御バルブ８３０が開いて貯水装置８１０内の貯水を蒸し板８２０に放出すると共に、加熱して蒸気で空洞４００を昇温させ、前記第三加熱ソース８００は外部ケース２００と頂面４６０、第二側壁４４０及び第三側壁４５０の間の何れかに選択して設置することができ、空洞４００を加熱して高温状態に昇温させるのに用いる。
【図面の簡単な説明】
【００１９】
【図１ａ】本考案の遠隔料理用食品装置の好ましい実施例の斜視図
【図１ｂ】本考案の遠隔料理用食品装置の好ましい実施例の回路図
【図２ａ】本考案の遠隔料理用食品装置の好ましい実施例の一部破断斜視図
【図２ｂ】本考案の遠隔料理用食品装置の好ましい実施例の説明図
【図２ｃ】本考案の遠隔料理用食品装置の好ましい実施例の説明図
【図２ｄ】本考案の遠隔料理用食品装置の好ましい実施例の説明図
【符号の説明】
【００２０】
１００    遠隔料理用食品装置
２００    外部ケース
３００    前蓋
４００    空洞
４１０    開口部
４２０    底面
４３０    第一側壁
４４０    第二側壁
４５０    第三側壁
４６０    頂面
５００    冷蔵モジュール
５１０    冷媒ユニット
５２０    冷熱交換パイプ
６００    第一加熱ソース
６１０    マイクロ波装置
７００    第二加熱ソース
７１０    ヒーター素子
８００    第三加熱ソース
８１０    貯水装置
８２０    蒸し板
８３０    制御バルブ
９００    遠隔信号起動装置
９１０    起動信号
９２０    信号受信装置
９３０    信号発射装置
【図１ａ】
0003141157.tif 000003
【図１ｂ】
0003141157.tif 000004
【図２ａ】
0003141157.tif 000005
【図２ｂ】
0003141157.tif 000006
【図２ｃ】
0003141157.tif 000007
【図２ｄ】
0003141157.tif 000008